(57)【要約】      （修正有）【課題】別体のキャビネットを設置することなく、物を載置や収納することができる手洗付き間仕切りを提供する。【解決手段】用便スペース２１と化粧スペースとの境界に設けられる手洗付き間仕切り１であって、側面に開口を有し開口の内部が収納空間となる筐体からなる間仕切り本体と、間仕切り本体の上面で物を置くことができる載置面１３と、間仕切り本体の上面の載置面１３以外の部分で吐水部１２ａとボウル部１２ｂとを備えた手洗部１２と、を有し、間仕切り本体の用便スペース２１から化粧スペース２２へと向かう間仕切り厚み方向の長さは、手洗部１２の間仕切り厚み方向の長さと等しいと共に、間仕切り厚み方向と直交する方向の一端部に手洗部１２が備えられる。【選択図】図２
2014031657.tif 000002
【特許請求の範囲】
【請求項１】
用便スペースと化粧スペースとの境界に設けられる手洗付き間仕切りであって、
側面に開口を有し前記開口の内部が収納空間となる筐体からなる間仕切り本体と、前記間仕切り本体の上面で物を置くことができる載置面と、前記間仕切り本体の上面の前記載置面以外の部分で吐水部とボウル部とを備えた手洗部と、を有し、
前記間仕切り本体の前記用便スペースから前記化粧スペースへと向かう間仕切り厚み方向の長さは、前記手洗部の前記間仕切り厚み方向の長さと等しいと共に、前記間仕切り厚み方向と直交する方向の一端部に前記手洗部が備えられることを特徴とする手洗付き間仕切り。
【請求項２】
用便スペースと、化粧スペースと、前記用便スペースと前記化粧スペースとの境界に設けられる手洗付き間仕切りと、を備えた化粧室であって、
前記手洗付き間仕切りは、側面に開口を有し前記開口の内部を収納空間とした筐体からなる間仕切り本体と、前記間仕切り本体の上面で物を置くことができる載置面と、前記間仕切り本体の上面の前記載置面以外の部分で吐水部とボウル部とを備えた手洗部と、を有し、
前記間仕切り本体の前記用便スペースから前記化粧スペースへと向かう間仕切り厚み方向の長さは、前記手洗部の前記間仕切り厚み方向の長さと等しく、
前記手洗付き間仕切りの前記間仕切り厚み方向と直交する方向の長さは、前記化粧室の前記間仕切り厚み方向と直交する方向の辺の長さより短く、前記手洗付き間仕切りの上下高さは前記化粧室の上下高さより低く設けられることを特徴とする化粧室。
【請求項３】
用便スペースと、化粧スペースと、前記用便スペースと前記化粧スペースとの境界に設けられる手洗付き間仕切りと、を備えた化粧室であって、
前記手洗付き間仕切りは、側面に開口を有し前記開口の内部に収納空間となる筐体からなる間仕切り本体と、前記間仕切り本体の上面で物を置くことができる載置面と、前記間仕切り本体の上面の前記載置面以外の部分で吐水部とボウル部とを備えた手洗部と、を有し、
前記間仕切り本体の前記用便スペースから前記化粧スペースへと向かう間仕切り厚み方向の長さは、前記手洗部の前記間仕切り厚み方向の長さと等しく形成され、
前記手洗付き間仕切りの前記間仕切り厚み方向と直交する方向の一端部には前記手洗部が備えられ、
前記手洗付き間仕切りの前記間仕切り厚み方向と直交する方向の他端部が壁に当接し、
前記手洗付き間仕切りの前記間仕切り厚み方向と直交する方向の長さは、前記化粧室の前記間仕切り厚み方向と直交する方向の辺の長さより短く、前記手洗付き間仕切りの上下高さは前記化粧室の上下高さより低く設けられることを特徴とする化粧室。
【発明の詳細な説明】
【技術分野】
【０００１】
本発明は、手洗付き間仕切りと及びこれを備えた化粧室に関するものである。
【背景技術】
【０００２】
従来から一つの部屋を、入浴スペースと洗面スペースと用便スペースとに分割する平面視Ｔ字状の間仕切り壁が知られている（例えば特許文献１参照）。
【先行技術文献】
【特許文献】
【０００３】
【特許文献１】実願昭６１−１３３６５３号公報
【発明の概要】
【発明が解決しようとする課題】
【０００４】
特許文献１に記載されている間仕切り壁は、スペースを有効活用するために、図３に示すように、平面視Ｔ字状の間仕切り壁３１となり、一つの部屋空間を入浴スペース３２と洗面スペース３３と用便スペース３４とに分割している。
【０００５】
しかし、用便スペース３４には、物を載置しておく場所が無く、物を収納できる収納スペースも無い。そのため、キャビネットを設置することが考えられるが、化粧室の一体感が損なわれてしまう。
【０００６】
本発明は上記従来の問題点に鑑みて発明したものであって、その目的とするところは、別体のキャビネットを設置することなく、物を載置や収納することができる手洗付き間仕切り、及び化粧室を提供することを課題とするものである。
【課題を解決するための手段】
【０００７】
上記課題を解決するために、本発明は、以下のような構成とする。
【０００８】
手洗付き間仕切りは、用便スペースと化粧スペースとの境界に設けられる手洗付き間仕切りであって、側面に開口を有し前記開口の内部が収納空間となる筐体からなる間仕切り本体と、前記間仕切り本体の上面で物を置くことができる載置面と、前記間仕切り本体の上面の前記載置面以外の部分で吐水部とボウル部とを備えた手洗部と、を有し、前記間仕切り本体の前記用便スペースから前記化粧スペースへと向かう間仕切り厚み方向の長さは、前記手洗部の前記間仕切り厚み方向の長さと等しいと共に、前記間仕切り厚み方向と直交する方向の一端部に前記手洗部が備えられることを特徴とする。
【０００９】
化粧室は、用便スペースと、化粧スペースと、前記用便スペースと前記化粧スペースとの境界に設けられる手洗付き間仕切りと、を備えた化粧室であって、前記手洗付き間仕切りは、側面に開口を有し前記開口の内部を収納空間とした筐体からなる間仕切り本体と、前記間仕切り本体の上面で物を置くことができる載置面と、前記間仕切り本体の上面の前記載置面以外の部分で吐水部とボウル部とを備えた手洗部と、を有し、前記間仕切り本体の前記用便スペースから前記化粧スペースへと向かう間仕切り厚み方向の長さは、前記手洗部の前記間仕切り厚み方向の長さと等しく、前記手洗付き間仕切りの前記間仕切り厚み方向と直交する方向の長さは、前記化粧室の前記間仕切り厚み方向と直交する方向の辺の長さより短く、前記手洗付き間仕切りの上下高さは前記化粧室の上下高さより低く設けられることを特徴とする。
【００１０】
化粧室は、用便スペースと、化粧スペースと、前記用便スペースと前記化粧スペースとの境界に設けられる手洗付き間仕切りと、を備えた化粧室であって、前記手洗付き間仕切りは、側面に開口を有し前記開口の内部に収納空間となる筐体からなる間仕切り本体と、前記間仕切り本体の上面で物を置くことができる載置面と、前記間仕切り本体の上面の前記載置面以外の部分で吐水部とボウル部とを備えた手洗部と、を有し、前記間仕切り本体の前記用便スペースから前記化粧スペースへと向かう間仕切り厚み方向の長さは、前記手洗部の前記間仕切り厚み方向の長さと等しく形成され、前記手洗付き間仕切りの前記間仕切り厚み方向と直交する方向の一端部には前記手洗部が備えられ、前記手洗付き間仕切りの前記間仕切り厚み方向と直交する方向の他端部が壁に当接し、前記手洗付き間仕切りの前記間仕切り厚み方向と直交する方向の長さは、前記化粧室の前記間仕切り厚み方向と直交する方向の辺の長さより短く、前記手洗付き間仕切りの上下高さは前記化粧室の上下高さより低く設けられることを特徴とする。
【発明の効果】
【００１１】
本発明の手洗付き間仕切りは、構成品を増やさずに収納スペースを確保できる。また本発明の化粧室は、手洗付き間仕切りを用いることにより、構成品を増やさずに収納スペースを確保すると共に、一つの部屋を複数に分割して利用することができる。
【図面の簡単な説明】
【００１２】
【図１】（ａ）は本実施形態の手洗付き間仕切りの側面図であり、（ｂ）は本実施形態の手洗付き間仕切りの正面図である。
【図２】本実施形態の化粧室の平面図である。
【図３】従来例の化粧室の平面図である。
【発明を実施するための形態】
【００１３】
以下、本発明を添付図面に示す実施形態に基いて説明する。
【００１４】
用便スペース２１と化粧スペース２２とを備えた化粧室２は、用便スペース２１と化粧スペース２２との境界に設けられる手洗付き間仕切り１によって仕切られている。本実施形態では、扉２３は手洗付き間仕切り１によって仕切られたスペースに夫々設けられておらず、一つだけ設けられているが、特に限定されない。図２に示すように、扉２３に室外側から対向する方向を前方向Ｆとし、扉２３に室外側から対向する方向とは逆方向を後方向Ｂ、扉２３に室外側から対向して右側を右方向Ｒとし、扉２３に室外側から対向して左側を左方向Ｌとする。図２に示すように、扉２３は化粧室２の後側の壁２５に取付けられているが、扉２３が設けられる場所は特に限定されない。また、引戸や引き違い戸など様々な種類の扉２３が考えられるが、特に限定されない。図示されていないが、窓が設けられていてもよい。
【００１５】
用便スペース２１には、便器が備えられているが、便器は限定されるものではない。
【００１６】
化粧スペース２２には、化粧台２４が備えられている。化粧台２４は、鏡や化粧品をしまっておく複数の引き出しが設けられ、鏡は矩形状や丸型など色々あるが、特に限定されない。また、化粧台２４には椅子が備えられていてもよい。
【００１７】
本実施形態では、左方向Ｌに用便スペース２１が設けられ、右方向Ｒに化粧スペース２２が設けられているが、逆になっていてもよい。
【００１８】
手洗付き間仕切り１は、平面視矩形状をしたキャビネットとなっており、前方向Ｆの端部は化粧室２の壁２６と当接し、化粧室２の床面に間仕切りの底部が載置されている。なお、本実施形態では別体であるが、化粧室２と手洗付き間仕切り１は一体に形成されてもよい。詳しくは後述するが、手洗付き間仕切り１の側面視の形状は、手洗付き間仕切り１の後端部の上部を切欠いた形状をしている。
【００１９】
手洗付き間仕切り１は、手洗部１２と、載置面１３と、間仕切り本体１１（キャビネット）と、を有している。手洗付き間仕切り１は、用便スペース２１と化粧スペース２２との境界に設けられる。本実施形態では、手洗付き間仕切り１は、化粧室２の左右方向の略中央に設けられている。
【００２０】
間仕切り本体１１は、手洗付き間仕切り１の側面に設けられる開口の内部に収納空間を備えている。本実施形態では、用便スペース２１に面している間仕切りの収納空間にトイレットペーパーホルダー１１ａが設置される。また交換をするトイレットペーパをしまっておくスペース１１ｂと、小さな鞄や小物を置いておけるスペース１１ｃが設けられている。化粧スペース２２に面している手洗付き間仕切り１の右方向Ｒの側面にも、収納空間が設けられていてもよい。間仕切りの後方向Ｂの側面の間仕切り本体１１には、手洗部１２で手を洗った後、手を乾かす際に使用するハンドドライヤー１１ｄが設けられている。
【００２１】
ハンドドライヤー１１ｄは、手の甲と、掌へ同時にジェットの風を吹きつけて、手に付いた水滴を乾燥させたり飛散させたりする装置である。ハンドドライヤー１１ｄは、矩形状をしており、その上面に手を挿入する凹状の開口が設けられている。ハンドドライヤー１１ｄには、制御部や表示部が取付けられ送風を行う第一送風部と、送風を行う第二送風部と、が設けられている。第一送風部と第二送風部との間には、手が挿入される谷部が設けられている。ハンドドライヤー１１ｄの上部に、第一送風部と谷部と第二送風部は設けられる。
【００２２】
ハンドドライヤー１１ｄの使用方法は、まず、両手を谷部に挿入する。すると、第一送風部と第二送風部から、勢いのある風が送られてくる。谷部に手を挿入したまま、十分に送風を受けて、手に付いた水滴を乾燥、飛散させた後、手を谷部から引き抜くと、手が乾燥している。
【００２３】
手洗部１２は、吐水部１２ａとボウル部１２とを備えており、間仕切り本体１１の後方向Ｂの端部の上面に設けられている。本実施形態では、手洗部１２は矩形状をしているが、これに限定されず楕円形や円形であってもよい。また手洗部１２は、後方向Ｂ側に加えて、用便スペース２１側と化粧スペース２２側の両側からも使用することができる。そのため、用便を済ました人が用便スペース２１側から使用できるようになっており、また、化粧等をした人が化粧スペース２２側から、使用できるようになっており、使い勝手がよくなっている。
【００２４】
載置面１３は、図１（ａ）に示すように、間仕切り本体１１の上面の手洗部１２以外の部分に設けられており、カウンターを取付けてもよいし、天板をそのまま使用してもよい。載置面１３には荷物を置くことができる。
【００２５】
載置面１３は、図１（ａ）に示すように、手洗部１２よりも上下方向に高い位置に設けられている。これにより、間仕切り本体１１の上面は、載置面１３の後方の端部から垂下する垂下面１３ａを有しており、垂下面１３ａの下端部から後方向Ｂに手洗部１２が突出している。垂下面１３ａは手洗部１２のバックガードとして機能している。
【００２６】
手洗付き間仕切り１の寸法について示す。手洗付き間仕切り１の左右方向の幅は、手洗部１２の左右方向の幅と等しくなっている。なお、手洗付き間仕切り１の左右方向の幅と手洗部１２の左右方向の幅とは略等しい場合も等しいものとする。手洗付き間仕切り１の前後方向の長さは、化粧室２の前後方向の長さより短くなっている。手洗付き間仕切り１の上下高さは、化粧室２の上下高さより低くなっている。また、間仕切り本体１１の載置面１３等の高さは、化粧スペース２２側で化粧等する人から、用便スペース２１側の便器が直接見えない高さに設けられている。また、手洗部１２の高さは、化粧室２内で立った人が、使いやすい高さに設けられている。
【００２７】
上記のような寸法にすることで、手洗部１２と手洗付き間仕切り１とが一体感を持って形成され、外観が良好になる。また、手洗付き間仕切り１の前後方向の長さは、化粧室２の前後方向の長さより短くなり、隙間が設けられているので、その隙間を通って、用便スペース２１と化粧スペース２２を行き来することができる。
【００２８】
以上のような構成にすることで、間仕切り本体１１や荷物を置ける場所が設けられていなかった化粧室２に、用便スペース２１と化粧スペース２２とを仕切る手洗付き間仕切り１を設けることにより、収納スペースを確保すると共に、一つの部屋を複数に分割して利用することができた。また、手洗部１２を、用便スペース２１側と化粧スペース２２側の両方から使用でき、使い勝手がよい。
【符号の説明】
【００２９】
１    手洗付き間仕切り
１１  間仕切り本体
１１ａ  トイレットペーパーホルダー
１１ｂ  スペース
１１ｃ  スペース
１１ｄ  ハンドドライヤー
１２  手洗部
１２ａ  吐水部
１２ｂ  ボウル部
１３  載置面
１３ａ  垂下面
２    化粧室
３１  間仕切り壁
３２  入浴スペース
３３  洗面スペース
３４  用便スペース
【図１】
2014031657.tif 000003
【図２】
2014031657.tif 000004
【図３】
2014031657.tif 000005